(57)【要約】【課題】情報処理装置において発生したエラーの深刻度が直ちに理解できる情報処理装置及び情報処理プログラムを提供する。【解決手段】情報処理装置は、記録媒体に画像形成するプリンタと、音声を再生する音声再生部と、エラーの深刻度ごとに生成する音の名称を格納する音テーブルと、発生したエラーに固有に割り当てられるエラーコードごとに深刻度を格納する深刻度テーブルと、発生したエラーに対応するエラーコードを格納するエラーファイルと、生成する音を格納する音源ファイルと、  エラーファイルから読み込んだエラーコードに対応する深刻度を深刻度テーブルから読み込み、読み込んだ深刻度に対応する生成すべき音の名称を音テーブルから読み込み、読み込んだ音の名称に対応する音源ファイルを再生させる制御部と、を備える。【選択図】図６
2015160364.tif 000002
【特許請求の範囲】
【請求項１】
記録媒体に画像形成するプリンタと、
音声を再生する音声再生部と、
エラーの深刻度ごとに生成する音の名称を格納する音テーブルと、
発生した前記エラーに固有に割り当てられるエラーコードごとに前記深刻度を格納する深刻度テーブルと、
発生したエラーに対応する前記エラーコードを格納するエラーファイルと、
生成する音を格納する音源ファイルと、
前記エラーファイルから読み込んだ前記エラーコードに対応する前記深刻度を前記深刻度テーブルから読み込み、読み込んだ前記深刻度に対応する生成すべき前記音の名称を前記音テーブルから読み込み、読み込んだ前記音の名称に対応する前記音源ファイルを再生させる制御部と、
を備える情報処理装置。
【請求項２】
生成する音がビープ音であるか否かを示す音種フラグをさらに備え、
前記制御部は、
前記音種フラグがメロディ音を再生させる旨を示す値である場合に、前記エラーファイルから読み込んだ前記エラーコードに対応する前記深刻度を前記深刻度テーブルから読み込み、読み込んだ前記深刻度に対応する生成すべき前記音の名称を前記音テーブルから読み込み、読み込んだ前記音の名称に対応する前記音源ファイルを再生させる請求項１記載の情報処理装置。
【請求項３】
前記深刻度テーブルは、
前記音の再生方法を示す機能をさらに格納し、
前記制御部は、
前記機能に従って前記音を再生させる請求項１記載の情報処理装置。
【請求項４】
記録媒体に画像形成するプリンタと、
音声を再生する音声再生部と、
エラーの深刻度ごとに生成する音の名称を格納する音テーブルと、
発生した前記エラーに固有に割り当てられるエラーコードごとに前記深刻度を格納する深刻度テーブルと、
発生したエラーに対応する前記エラーコードを格納するエラーファイルと、
生成する音を格納する音源ファイルと、
を備える情報処理装置を、
前記エラーファイルから読み込んだ前記エラーコードに対応する前記深刻度を前記深刻度テーブルから読み込む深刻度判定手段と、
読み込んだ前記深刻度に対応する生成すべき前記音の名称を前記音テーブルから読み込み、読み込んだ前記音の名称に対応する前記音源ファイルを再生させる音再生手段と、
として機能させるための情報処理プログラム。
【請求項５】
前記情報処理装置は、
生成する音がビープ音であるか否かを示す音種フラグをさらに備え、
前記情報処理装置を、
前記音種フラグがメロディ音を再生させる旨を示す値であるかどうかを判定する音種判定手段と、
前記音種フラグがメロディ音を再生させる旨を示す値である場合に、前記エラーファイルから読み込んだ前記エラーコードに対応する前記深刻度を前記深刻度テーブルから読み込む深刻度判定手段と、
前記音種フラグがメロディ音を再生させる旨を示す値である場合に、読み込んだ前記深刻度に対応する生成すべき前記音の名称を前記音テーブルから読み込み、読み込んだ前記音の名称に対応する前記音源ファイルを再生させる音再生手段と、
として機能させるための請求項４記載の情報処理プログラム。
【請求項６】
前記深刻度テーブルは、
前記音の再生方法を示す機能をさらに格納し、
前記情報処理装置を、
前記機能に従って前記音を再生させる機能音再生手段としてさらに機能させるための請求項４記載の情報処理プログラム。
【発明の詳細な説明】
【技術分野】
【０００１】
本発明の実施形態は、情報処理装置及び情報処理プログラムに関する。
【背景技術】
【０００２】
従来、請求書や売上伝票の情報処理及び印字処理に特化した情報処理装置、いわゆる事務コンピュータが知られている。
【０００３】
この情報処理装置は、ディスプレイ、キーボード、マウスなどの入出力装置と、複写帳票に印字可能なプリンタと、を備える。これらのうち、本体部にディスプレイと、プリンタと、が一体に構成されている。
【０００４】
情報処理装置は稼働中に様々なエラーが生じることがある。エラーが発生した場合、情報処理装置はビープ音を鳴らしてオペレータに注意を促していた。
【０００５】
しかし、エラーの中には、解決しないと業務が遂行できなくなる深刻なエラーと、オペレータの注意を促す程度の軽度のエラーがある。
【０００６】
従来の情報処理装置ではエラーの深刻度にかかわりなくビープ音一種類しかならなかったため、オペレータはエラーの深刻度を直ちに認識することができなかった。
【先行技術文献】
【特許文献】
【０００７】
【特許文献１】特開２００１−１６６９０４号公報
【発明の概要】
【発明が解決しようとする課題】
【０００８】
従って、情報処理装置において発生したエラーの深刻度が直ちに理解できる情報処理装置及び情報処理プログラムが求められている。
【課題を解決するための手段】
【０００９】
上記の課題を解決するために、本発明の一実施形態は、記録媒体に画像形成するプリンタと、音声を再生する音声再生部と、エラーの深刻度ごとに生成する音の名称を格納する音テーブルと、発生したエラーに固有に割り当てられるエラーコードごとに深刻度を格納する深刻度テーブルと、発生したエラーに対応するエラーコードを格納するエラーファイルと、生成する音を格納する音源ファイルと、  エラーファイルから読み込んだエラーコードに対応する深刻度を深刻度テーブルから読み込み、読み込んだ深刻度に対応する生成すべき音の名称を音テーブルから読み込み、読み込んだ音の名称に対応する音源ファイルを再生させる制御部と、を備える情報処理を提供する。
【図面の簡単な説明】
【００１０】
【図１】情報処理装置の外観斜視図である。
【図２】情報処理装置の構成を示すブロック図である。
【図３】音テーブルのデータ構成を示す図である。
【図４】深刻度テーブルのデータ構成を示す図である。
【図５】エラーファイルのデータ構成を示す図である。
【図６】情報処理装置の制御部によるエラー処理動作のフローチャートである。
【発明を実施するための形態】
【００１１】
以下、情報処理装置及び情報処理プログラムの一実施形態について、図面を用いて詳細に説明する。
【００１２】
本実施形態の情報処理装置は、記録媒体に画像形成するプリンタと、音声を再生する音声再生部と、エラーの深刻度ごとに生成する音の名称を格納する音テーブルと、発生したエラーに固有に割り当てられるエラーコードごとに深刻度を格納する深刻度テーブルと、発生したエラーに対応するエラーコードを格納するエラーファイルと、生成する音を格納する音源ファイルと、  エラーファイルから読み込んだエラーコードに対応する深刻度を深刻度テーブルから読み込み、読み込んだ深刻度に対応する生成すべき音の名称を音テーブルから読み込み、読み込んだ音の名称に対応する音源ファイルを再生させる制御部と、を備える。
【００１３】
図１は、情報処理装置１の外観斜視図である。図１に示すように、情報処理装置１は、記録媒体に画像形成するプリンタ１４と、プリンタ１４に一体に設けられるディスプレイなどの表示装置１１と、キーボード１２及びマウス１３などの入力装置と、を備える。
【００１４】
プリンタ１４は、情報処理装置１の前面に記録媒体を挿入する挿入孔１４Ａと、ディスプレイ１１の背後に記録媒体を排出する排出口と、を備える。情報処理装置１の前面とは、図１の手前側であり、背面とは、図１の奥側である。
【００１５】
プリンタ１４は複写帳票に印字可能な画像形成部を備える。画像形成部は例えばドットマトリックスヘッドなどが挙げられる。
【００１６】
なお、画像形成部はレーザープリンタのような電子式のものであっても、インクジェット式のものであってもよい。
【００１７】
図２は、情報処理装置１の構成を示すブロック図である。図２に示すように、情報処理装置１は、演算装置であるＣＰＵ（ｃｅｎｔｒａｌ  ｐｒｏｃｅｓｓｉｎｇ  ｕｎｉｔ）を含む制御部２０１と、メモリ、ハードディスクドライブなどの記憶装置を含む記憶部２０２と、ディスプレイ１１、キーボード１２、マウス１３などの入出力装置を含む入出力部２０３と、プリンタ１４と、信号増幅器、スピーカなどの装置を含み、音声を再生させる音声再生部２０５と、を備える。
【００１８】
記憶部２０２は、エラーの深刻度ごとに生成する音の名称を格納する音テーブル２０２Ａと、発生したエラーに固有に割り当てられるエラーコードごとに深刻度を格納する深刻度テーブル２０２Ｂと、発生したエラーに対応するエラーコードを格納するエラーファイル２０２Ｃと、生成する音を格納する音源ファイル２０２Ｄと、生成する音がメロディ音であるかビープ音であるかを示す音種フラグ２０２Ｅと、を格納する。ビープ音とは、単一の波形で構成される音である。
【００１９】
また、記憶部２０２は、オペレーションシステム、及び情報処理プログラムを格納し、制御部２０１は記憶部２０２から情報処理プログラムを読み出して順次実行する。さらに、記憶部２０２は、種々の業務アプリケーションプログラムを格納する。
【００２０】
オペレータは情報処理装置１の電源を投入することによってオペレーションシステムを立ち上げる。情報処理装置１は、オペレータの指示に従って指定された業務アプリケーションプログラムを実行する。
【００２１】
業務アプリケーションプログラムの実行中にオペレータによって情報処理装置１に印字指示がなされた場合、情報処理装置１は記録媒体を挿入孔１４Ａから挿入するようにディスプレイ１１に表示するとともに音によってオペレータに知らせる。
【００２２】
情報処理装置１は、ハードウエアエラーが発生した場合も音によってオペレータに知らせる。
【００２３】
図３は、音テーブル２０２Ａのデータ構成を示す図である。図３に示すように、音テーブル２０２Ａは、エラーの深刻度を示す「深刻度」と、深刻度に対応して生成される音の名称を示す「メロディ音」と、を格納する。なお、ここでメロディ音には楽器や人の声などの合成音声のほか、録音した音声も含まれる。
【００２４】
各データの例は、深刻度が「Ａ」のメロディ音は「メロディ音１」であり、深刻度「Ｂ」のメロディは「メロディ２」であり、深刻度「Ｃ」のメロディは「メロディ３」である。
【００２５】
ここで、深刻度について説明する。深刻度は例えば、次のように設定できる。
【００２６】
「Ａ」：業務が停止せざるを得なくなる重大なエラー。
【００２７】
例えば、プリンタハードウエアエラー、インタプリタが出したソフトウエア上の業務中断エラーなどが、業務が停止せざるを得なくなる重大なエラーに該当する。
【００２８】
「Ｂ」：オペレータが解除可能な軽微なエラー。
【００２９】
例えば、プリンタの用紙切れエラー、業務アプリケーションプログラムが出した警告などが、オペレータが解除可能な軽微なエラーにあたる。
【００３０】
「Ｃ」：情報の通知
例えば、印刷完了の通知、業務アプリケーションプログラムが出した警告以外の通知などが情報の通知にあたる。
【００３１】
上述の例では、エラーの深刻度は、「Ａ」＞「Ｂ」＞「Ｃ」である。なお。エラーの深刻度は適宜設定可能である。深刻度のランクは、さらに増やすことが可能である。
【００３２】
図４は、深刻度テーブル２０２Ｂのデータ構成を示す図である。図４に示すように、深刻度テーブル２０２Ｂは、エラーの内容に固有に割り当てられる「エラーコード」と、エラーの深刻度を示す「深刻度」と、音声の生成の機能を示す「機能」と、を格納する。
【００３３】
各データの例は、エラーコードが「Ｐ０１０２」、深刻度が「Ａ」、機能が「同期モード」である。
【００３４】
ここで、機能について説明する。機能には例えば以下のものが挙げられる。
【００３５】
「非同期モード」：第１の音の再生処理を待たずに、第２の音の再生を許可する。すなわち、２種類以上の音が同時に再生される場合がある。
【００３６】
「同期モード」：第１の音の再生処理の終了を待って、第２の音の再生を行う。
【００３７】
「再生停止後再生モード」：第１の音の再生処理を待たずに、第１の音の再生を停止させてから第２の音の再生を許可する。
【００３８】
「繰り返しモード」：再生停止の指示があるまで音の再生を繰り返す。
【００３９】
機能はさらに増やすことが可能である。
【００４０】
図５は、エラーファイル２０２Ｃのデータ構成を示す図である。図５に示すように、エラーファイル２０２Ｃは、「エラーコード」と、当該エラーが発生した日時を示す「日時」と、当該エラーコードの説明である「説明」と、を格納する。
【００４１】
各データの例は、エラーコードが「Ｐ０１０２」、日時が「２０１４０３０５１０２５３２」、説明が「ヘッド不具合」である。
【００４２】
エラーファイル２０２Ｃは、ハードウエアのエラーとソフトウエアのエラーとを区別せずに一元管理することも、各ハードウエア及び各ソフトウエアについて別個のエラーファイルを設けることも可能である。
【００４３】
音源ファイル２０２Ｄは、再生すべき音源を例えばＷＡＶ形式のファイルにより格納する。
【００４４】
音種フラグ２０２Ｅは、メロディ音の再生を示すフラグである「ＯＮ」、またはビープ音の再生を示すフラグである「ＯＦＦ」を格納する。メロディ音を再生するか、ビープ音を再生するかは、適宜設定できる。
【００４５】
図６は、情報処理装置１の制御部２０１によるエラー処理動作のフローチャートである。図６に示すように、情報処理装置１は、ステップ６０１においてエラーファイル２０２Ｃを読み込む。エラーファイル２０２Ｃが複数ある場合には、情報処理装置１はこの複数のエラーファイル２０２Ｃを順次読み込む。
【００４６】
ステップ６０２において、情報処理装置１はエラーがあるかを判定する。情報処理装置１はエラーがあると判定した場合（ステップ６０２のＹ）、ステップ６０３に進み、エラーがないと判定した場合（ステップ６０２のＮ）、ステップ６０１に戻る。
【００４７】
ステップ６０３において、情報処理装置１は音種フラグ２０２Ｅを読み込む。
【００４８】
ステップ６０４において、情報処理装置１は音種フラグがメロディ音の再生を示す「ＯＮ」であるか、ビープ音の再生を示す「ＯＦＦ」であるかを判定する。情報処理装置１は音種フラグがメロディ音の再生を示す「ＯＮ」であると判定した場合（ステップ６０４のＹ）、ステップ６０５に進み、ビープ音の再生を示す「ＯＦＦ」であると判定した場合（ステップ６０４のＮ）、ステップ６０８に進む。
【００４９】
ステップ６０５において、情報処理装置１はエラーファイル２０２Ｃから読み込んだエラーコードに基づいて深刻度テーブル２０２Ｂから深刻度と機能を読み込む。
【００５０】
ステップ６０６において、情報処理装置１は深刻度テーブル２０２Ｂから読み込んだ深刻度に基づいて音テーブル２０２Ａからメロディ音を読み込む。
【００５１】
ステップ６０７において、情報処理装置１は音テーブル２０２Ａから読み込んだメロディ音に基づいて音源ファイル２０２Ｄを読み込み、読み込んだ音源ファイル２０２Ｄを再生する。
【００５２】
ステップ６０８において、情報処理装置１はビープ音を鳴らす。
【００５３】
以上述べたように、本実施形態の情報処理装置１は、記録媒体に画像形成するプリンタ１４と、プリンタ１４に一体に設けられるディスプレイなどの表示装置１１と、キーボード１２及びマウス１３などの入力装置と、音声を再生する音声再生部２０５と、エラーの深刻度ごとに生成する音の名称を格納する音テーブル２０２Ａと、発生したエラーに固有に割り当てられるエラーコードごとに深刻度を格納する深刻度テーブル２０２Ｂと、発生したエラーに対応するエラーコードを格納するエラーファイル２０２Ｃと、生成する音を格納する音源ファイル２０２Ｄと、生成する音がビープ音であるか否かを示す音種フラグ２０２Ｅと、エラーファイル２０２Ｃから読み込んだエラーコードに対応する深刻度を深刻度テーブル２０２Ｂから読み込み、読み込んだ深刻度に対応する生成すべき音の名称を音テーブル２０２Ａから読み込み、読み込んだ音の名称に対応する音源ファイル２０２Ｄを生成させる制御部と、を備える。
【００５４】
従って、ユーザは、情報処理装置１において発生したエラーの深刻度を音によって、直ちに理解できる。また、ユーザは、エラーの深刻度を示す音により、エラーを認識することができるため、エラーに適切に対処することが可能である。
【００５５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１：情報処理装置
１１：ディスプレイ
１２：キーボード
１３：マウス
１４：プリンタ
【図１】
2015160364.tif 000003
【図２】
2015160364.tif 000004
【図３】
2015160364.tif 000005
【図４】
2015160364.tif 000006
【図５】
2015160364.tif 000007
【図６】
2015160364.tif 000008